(57)【要約】【課題】本発明は、光源形状が平面状であると立体状であるとを問わず、また、光源の対象物への取り付け態様が直付け型、吊り下げ型の如何を問わず、これらに対応可能であり、さらに、光放射面の面積の大小や３６０度全方向への光照射にも対応可能であるＬＥＤ素子を用いた正三角形状光源体を提供する。【解決手段】本発明に係る正三角形状光源体１は、正三角形又は略正三角形の平面基板２上に、複数のＬＥＤ素子３を全体として略正三角形状を呈するように列設するとともに、平面基板２に、各ＬＥＤ素子３への電力供給用の配線部と、取り付けネジ６用の取り付け孔７とを設けた構成としたものである。【選択図】図１
2011150808.tif 000002
【特許請求の範囲】
【請求項１】
正三角形又は略正三角形の平面基板上に、複数のＬＥＤ素子を全体として略正三角形状を呈するように列設したことを特徴とする正三角形状光源体。
【請求項２】
正三角形又は略正三角形の平面基板上に、複数のＬＥＤ素子を全体として略正三角形状を呈するように列設した正三角形状光源体を、複数個平面配置に隣り合わせて個数分増大した占有面積を有する集合体としたことを特徴とする光源体群。
【請求項３】
正三角形又は略正三角形の平面基板上に、複数のＬＥＤ素子を全体として略正三角形状を呈するように列設した正三角形状光源体を、４個平面配置に隣り合わせて４倍に増大した占有面積を有する正三角形状としたことを特徴とする光源体群。
【請求項４】
正三角形又は略正三角形の平面基板上に、複数のＬＥＤ素子を全体として略正三角形状を呈するように列設した正三角形状光源体を、６個平面配置に隣り合わせて６倍に増大した占有面積を有する六角形状としたことを特徴とする光源体群。
【請求項５】
正三角形又は略正三角形の平面基板上に、複数のＬＥＤ素子を全体として略正三角形状を呈するように列設するとともに、前記平面基板に、各ＬＥＤ素子への電力供給用の配線部と、取り付けネジ用の取り付け孔とを設けた正三角形状光源体と、
前記配線部に接続した所要の電力供給用の配線ユニットと、
を有することを特徴とする正三角形状光源体を用いた平面照明装置。
【請求項６】
正三角形又は略正三角形の平面基板上に、複数のＬＥＤ素子を全体として略正三角形状を呈するように列設するとともに、前記平面基板に、各ＬＥＤ素子への電力供給用の配線部と、取り付けネジ用の取り付け孔とを設けた正三角形状光源体を、複数個平面配置に隣り合わせて個数分増大した占有面積を有する集合体とした光源体群と、
前記各正三角形状光源体の配線部に接続した所要の電力供給用の配線ユニットと、
を有することを特徴とする正三角形状光源体を用いた平面照明装置。
【請求項７】
前記正三角形状光源体の配線部は、複数のＬＥＤ素子全体を分割した複数のＬＥＤ素子群毎の直列回路を複数段並列接続した四端子回路として構成され、この四端子回路の一端側を陽極ライン、他端側を陰極ラインとして、前記光源体群を構成する前記各正三角形状光源体を数珠繋ぎに接続可能としたことを特徴とする請求項６記載の正三角形状光源体を用いた平面照明装置。
【請求項８】
前記正三角形状光源体を、４個平面配置に隣り合わせて４倍に増大した占有面積を有する正三角形状としたことを特徴とする請求項６又は７記載の正三角形状光源体を用いた平面照明装置。
【請求項９】
前記正三角形状光源体を、６個平面配置に隣り合わせて６倍に増大した占有面積を有する正六角形状としたことを特徴とする請求項６又は７記載の正三角形状光源体を用いた平面照明装置。
【請求項１０】
正三角形又は略正三角形の平面基板上に、複数のＬＥＤ素子を全体として略正三角形状を呈するように列設するとともに、前記平面基板に、各ＬＥＤ素子に電力供給を行う配線部と、取り付けネジ用の取り付け孔とを設けた正三角形状光源体を用いた立体照明装置であって、
一面が正三角形状の正多面体状に形成され、各面に配線孔を有し、前記正三角形状光源体を各々取り付け支持する熱冷却機能を有する光源体支持体と、
前記光源体支持体各面の各正三角形状光源体の配線部に接続した所要の電力供給用の配線ユニットと、
を有することを特徴とする正三角形状光源体を用いた立体照明装置。
【請求項１１】
前記正三角形状光源体の配線部は、複数のＬＥＤ素子全体を分割した複数のＬＥＤ素子群毎の直列回路を複数段並列接続した四端子回路として構成され、この四端子回路の一端側を陽極ライン、他端側を陰極ラインとして、前記各正三角形状光源体を数珠繋ぎに接続可能としたことを特徴とする請求項１０記載の正三角形状光源体を用いた立体照明装置。
【請求項１２】
前記光源体支持体は、一面が正三角形状の正四面体、正十二面体、正二十面体等から選定されることを特徴とする請求項１０又は１１記載の正三角形状光源体を用いた立体照明装置。
【請求項１３】
正三角形又は略正三角形の平面基板上に、複数のＬＥＤ素子を全体として略正三角形状を呈するように列設するとともに、前記平面基板に、各ＬＥＤ素子に電力供給を行う配線部と、取り付けネジ用の取り付け孔とを設けた正三角形状光源体を用いた立体照明装置であって、
角錐状で取り付け面である底面を除く各面が正三角形状に形成され、各面に前記正三角形状光源体を各々取り付け支持するとともに熱冷却機能を有する光源体支持体と、
前記光源体支持体各面の各正三角形状光源体の配線部に前記底面側から接続した所要の電力供給用の配線ユニットと、
を有することを特徴とする正三角形状光源体を用いた立体照明装置。
【請求項１４】
前記正三角形状光源体の配線部は、複数のＬＥＤ素子全体を分割した複数のＬＥＤ素子群毎の直列回路を複数段並列接続した四端子回路として構成され、この四端子回路の一端側を陽極ライン、他端側を陰極ラインとして、前記各正三角形状光源体を数珠繋ぎに接続可能としたことを特徴とする請求項１３記載の正三角形状光源体を用いた立体照明装置。
【請求項１５】
前記光源体支持体は、一面が正三角形状の四角錐、六角錘等から選定されることを特徴とする請求項１３又は１４記載の正三角形状光源体を用いた立体照明装置。
【発明の詳細な説明】
【技術分野】
【０００１】
本発明は、ＬＥＤ素子を用いた正三角形状光源体、光源体群、正三角形状光源体を用いた平面照明装置及び立体照明装置に関するものである。
【背景技術】
【０００２】
近年、省電力の観点から発光素子の一つであるＬＥＤ素子を用いた照明装置が注目されている。
【０００３】
このＬＥＤは、その特性上光の指向性が強く、広範囲に照射するためには光放射面積を大きく取る必要があり、この特性のため例えばハロゲンランプのように３６０度全方向へ光を照射するような照明装置を得るための発光素子としては不向きであるとされている。
【０００４】
また、ＬＥＤ素子を密集配置するとその放熱のため支持基板の寿命を低下させせるという問題も包含している。
【０００５】
特許文献１には、ＬＥＤ素子を用いた光源体として、ＬＥＤ素子と、立体形状を成し且つ前記ＬＥＤ素子を複数支持する凸多面体、切頭四角錐体又はかまぼこ状からなるベースとを具備し、ベースの底面を除く構成面により各々ＬＥＤ素子を支持するように構成した立体光源体が提案されている。
【０００６】
特許文献１の場合、凸多面体、切頭四角錐体又はかまぼこ状からなるベースにＬＥＤ素子を配列したものであるから、平面光源としての使用や、立体光源体を中心として３６０度全方向へ光放射する光源としての使用はできないものと推定される。
【先行技術文献】
【特許文献】
【０００７】
【特許文献１】特開２００８−４４１５号公報
【発明の概要】
【発明が解決しようとする課題】
【０００８】
本発明が解決しようとする問題点は、光源形状が平面状であると立体状であるとを問わず、また、光源の対象物への取り付け態様が直付け型、吊り下げ型の如何を問わず、これらに対応可能であり、さらに、光放射面の面積の大小や３６０度全方向への光照射にも対応可能であるような優れた機能を有するＬＥＤ素子を用いた光源体が存在しない点である。
【課題を解決するための手段】
【０００９】
本発明に係る正三角形状光源体は、正三角形又は略正三角形の平面基板上に、複数のＬＥＤ素子を全体として略正三角形状を呈するように列設したことを最も主要な特徴とする。
【発明の効果】
【００１０】
請求項１記載の発明によれば、平面基板及び各ＬＥＤ素子の配置形状が正三角形状という構成の基に、光源形状が平面状であると立体状であるとを問わず、また、光源の対象物への取り付け態様が直付け型、吊り下げ型の如何を問わず、これらに対応可能であり、さらに、光放射面の面積の大小や３６０度全方向への光照射にも対応可能な正三角形状光源体を提供することができる。
【００１１】
請求項２乃至４記載の発明によれば、平面基板及び各ＬＥＤ素子の配置形状が正三角形状という構成と、前記正三角形状光源体を複数個平面配置した構成とによって、光源形状が平面状で、発光部分の面積を個数分増大した（４倍、６倍等）直付け型光源として適用可能な光源体群を提供することができる。
【００１２】
請求項５記載の発明によれば、取り付け面への取り付け態様を直付け型とした構成の基に、正三角形状光源体の前方又は下方に各ＬＥＤ素子からの光を照射し照明することができる平面照明装置を提供することができる。
【００１３】
請求項６乃至９記載の発明によれば、正三角形状光源体を用いた光源体群に配線ユニットを付加した構成の基に、光源形状が平面状で、発光部分の面積が個数分増大した（４倍、６倍等）直付け型光源として光源体群の前方又は下方に各ＬＥＤ素子からの光を照射し照明することができ、より広範囲を照明する平面照明装置を提供することができる。また、正三角形状光源体の配線部を、数珠繋ぎ構成とすることにより、各正三角形状光源体の接続作業の簡略化、迅速化を図ることもできる。
【００１４】
請求項１０乃至１２記載の発明によれば、光源部を立体である正多面体（正四面体、正二十面体等）とし、取り付け面への取り付け態様が吊り下げ型の構成として、複数の正三角形状光源体の各ＬＥＤ素子３から３６０度全方向への光照射が可能である立体照明装置を提供することができる。また、正三角形状光源体の配線部を、数珠繋ぎ構成とすることにより、各正三角形状光源体の接続作業の簡略化、迅速化を図ることもできる。
【００１５】
請求項１３乃至１５記載の発明によれば、光源部を立体である多角錐（五角錐等）とし、取り付け面への取り付け態様が直付け型の構成として、各正三角形状光源体の各ＬＥＤ素子から取り付け面の下方広範囲への光照射が可能である立体照明装置を実現することができる。また、正三角形状光源体の配線部を、数珠繋ぎ構成とすることにより、各正三角形状光源体の接続作業の簡略化、迅速化を図ることもできる。
【図面の簡単な説明】
【００１６】
【図１】図１は本発明の実施例１に係る正三角形状光源体１の概略斜視図である。
【図２】図２は本発明の実施例２に係る光源体群の概略斜視図である。
【図３】図３は本発明の実施例２に係る光源体群の変形例の概略斜視図である。
【図４】図４は本発明の実施例３に係る正三角形状光源体を用いた平面照明装置の概略構え成図である。
【図５】図５は本発明の実施例３に係る平面照明装置における正三角形状光源体の取り付け態様を示す説明図である。
【図６】図６は本発明の実施例４に係る正三角形状光源体を用いた平面照明装置の概略構成図である。
【図７】図７は本発明の実施例４に係る正三角形状光源体を用いた平面照明装置の変形例の概略構成図である。
【図８】図８は本発明の実施例５に係る正三角形状光源体を用いた立体照明装置の構成を概念的に示す概略構成図である。
【図９】図９は本発明の実施例５に係る立体照明装置における正三角形状光源体の光源体支持体への取り付け態様を示す説明図である。
【図１０】図１０は本発明の実施例５に係る立体照明装置についての具体的使用態様を示す説明図である。
【図１１】図１１は本発明の実施例５に係る立体照明装置の変形例についての具体的使用態様を示す説明図である。
【図１２】図１２は本発明の実施例６に係る立体照明装置についての具体的使用態様を示す説明図である。
【図１３】図１３は本発明の実施例３に係る正三角形状光源体の配線部の具体例を示す回路構成図である。
【発明を実施するための形態】
【００１７】
本発明に係る正三角形状光源体は、光源形状が平面状であると立体状であるとを問わず、また、光源の対象物への取り付け態様が直付け型、吊り下げ型の如何を問わず、これらに対応可能であり、さらに、光放射面の面積の大小や３６０度全方向への光照射にも対応可能であるＬＥＤ素子を用いた正三角形状光源体を提供するという目的を、正三角形又は略正三角形の平面基板上に、複数のＬＥＤ素子を全体として略正三角形状を呈するように列設するとともに、前記平面基板に、各ＬＥＤ素子への電力供給用の配線部と、取り付けネジ用の取り付け孔とを設けた構成により実現した。
【実施例１】
【００１８】
以下に本発明の実施例１に係る正三角形状光源体１について、図１を参照して説明する。
【００１９】
本実施例１に係る正三角形状光源体１は、図１に示すように、正三角形又は略正三角形に形成した絶縁体からなる平面基板２上に、すなわち、平面基板２の表面に、複数（本実施例１では１０段、４７個）の例えば白色光を発行するＬＥＤ（発光ダイオード）素子３を全体の外部輪郭形状が略正三角形状を呈するように列設することにより構成した形状に最大の特徴を有するものである。
【００２０】
前記平面基板２は、輪郭形状が正三角形状のもの、又は、正三角形の各頂点部分をカットした略正三角形状のものを採用している。
【００２１】
前記平面基板２には、前記各ＬＥＤ素子３を並列接続するための図示しないが例えばプリント配線技術による配線部を設け、給電ケーブル４の一端を配線部の給電端子部に接続し、また、給電ケーブル４の他端に接続コネクタ５を設けている。
【００２２】
前記平面基板２には、例えば上から３段目に１個、上から９段目２個からなる合計３個の取り付けネジ６用の取り付け孔７を設けている。
【００２３】
前記正三角形状光源体１を含む照明装置については後述する。
【００２４】
このような正三角形状光源体１によれば、平面基板２及び各ＬＥＤ素子３の配置形状が正三角形状という構成の基に、詳細は後述するように、光源形状が平面状であると立体状であるとを問わず、また、光源の対象物への取り付け態様が直付け型、吊り下げ型の如何を問わず、これらに対応可能であり、さらに、光放射面の面積の大小や３６０度全方向への光照射にも対応可能な正三角形状光源体１とすることができる。
【実施例２】
【００２５】
次に、図２を参照して、本発明の実施例２に係る光源体群１１について説明する。
【００２６】
本発明の実施例２に係る光源体群１１は、図２に示すように、前記正三角形状光源体１を、４個平面配置に、かつ、各正三角形状光源体１の一辺同士を近接配置して４倍に増大した占有面積を有する正三角形状としたことに最大の特徴を有するものである。
【００２７】
前記光源体群１１を含む照明装置については後述する。
【００２８】
このような光源体群１１によれば、平面基板２及び各ＬＥＤ素子３の配置形状が正三角形状という構成と、前記正三角形状光源体１を４個用い正三角形状に配置した構成とによって、光源形状が平面状で、発光部分の面積を実施例１の場合に比べ４倍に増大した直付け型光源として適用可能な光源体群１１を実現することができる。
【００２９】
図３は、本発明の実施例２の変形例である光源体群１１Ａを示すものであり、この光源体群１１Ａは、前記正三角形状光源体１を、６個平面配置に隣り合わせて６倍に増大した占有面積を有する六角形状としたことに最大の特徴を有するものである。
【００３０】
前記光源体群１１Ａを含む照明装置については後述する。
【００３１】
このような光源体群１１Ａによれば、平面基板２及び各ＬＥＤ素子３の配置形状が正三角形状という構成と、前記正三角形状光源体１を６個用い六角形状に配置した構成とによって、光源形状が平面状で、発光部分の面積を実施例１の場合に比べ６倍に増大し、直付け型光源として適用可能な光源体群１１Ａを実現することができる。
【実施例３】
【００３２】
次に、図４、図５を参照して、本発明の実施例３に係る正三角形状光源体１を用いた平面照明装置２１について説明する。
【００３３】
本実施例３に係る正三角形状光源体１を用いた平面照明装置２１は、図４に示すように、前記正三角形状光源体１と、この正三角形状光源体１の前記配線部に接続した接続コネクタ５に対して接続する所要の電力供給用の配線ユニット２２と、を有するものである。
【００３４】
前記配線ユニット２２は、例えば商用電源（ＡＣ１００Ｖ）に接続するためのプラグ２３を一端に有する電源ケーブル２５の途中に、交流−直流変換を行う交流−直流変換部と、変換した直流電圧を前記正三角形状光源体１の動作に必要な電圧に変換して出力する電圧変換部とを内蔵した電力変換部２４を備えるとともに、電源ケーブル２５の他端に前記接続コネクタ５に装着する給電コネクタ２６を具備している。
【００３５】
そして、前記配線ユニット２２を用いて正三角形状光源体１に所要の電圧を供給し、各ＬＥＤ素子３を発光させるように構成している。
【００３６】
また、本実施例３に係る平面照明装置２１は、図５に示すように、正三角形状光源体１を壁又は天井等の取り付け面２７に添着し、３個の取り付け孔７を経て３個の取り付けネジ６を取り付け面２７にねじ込むことによって、正三角形状光源体１を取り付け面２７に平面的に固定するように構成している。
【００３７】
本実施例３に係る正三角形状光源体１を用いた平面照明装置２１によれば、取り付け面２７への取り付け態様を直付け型とした構成の基に、正三角形状光源体１の前方又は下方に各ＬＥＤ素子３からの光を照射し照明することができる平面照明装置２１を実現することができる。
【実施例４】
【００３８】
次に、図６を参照して、本発明の実施例４に係る正三角形状光源体１を用いた平面照明装置３１について説明する。
【００３９】
本発明の実施例４に係る正三角形状光源体１を用いた平面照明装置３１は、実施例２に係る光源体群１１に対して、配線ユニット３２を付加した構成としたものである。
【００４０】
前記配線ユニット３２は、例えば商用電源（ＡＣ１００Ｖ）に接続するためのプラグ２３を一端に有する電源ケーブル２５の途中に、交流−直流変換を行う交流−直流変換部と、変換した直流電圧を前記４個の正三角形状光源体１の動作に必要な電圧に変換して出力する電圧変換部とを内蔵した電力変換部２４Ａを備えるとともに、電源ケーブル２５の他端に前記各接続コネクタ５に装着する４個の給電コネクタ２６を具備している。
【００４１】
そして、前記配線ユニット３２を用いて４個の正三角形状光源体１に所要の電圧を供給し、４個の正三角形状光源体１の各ＬＥＤ素子３を発光させるように構成している。
【００４２】
また、本実施例４に係る平面照明装置３１は、実施例３の場合と同様、４個の正三角形状光源体１を壁又は天井等の取り付け面２７に添着し、各取り付け孔７を経て取り付けネジ６を取り付け面２７にねじ込むことによって、４個の正三角形状光源体１を取り付け面２７に全体として正三角形状の配置で平面的に固定するように構成している。
【００４３】
本実施例４に係る平面照明装置３１によれば、実施例２に係る光源体群１１に前記配線ユニット３２を付加した構成の基に、光源形状が平面状で、発光部分の面積が実施例３の場合に比べ４倍に増大した直付け型光源として各光源体群１１の前方又は下方に各ＬＥＤ素子３からの光を照射し照明することができ、より広範囲を照明する平面照明装置３１を提供することができる。
【００４４】
次に、図７を参照して、本発明の実施例４の変形例である正三角形状光源体１を用いた平面照明装置４１について説明する。
【００４５】
この変形例４に係る正三角形状光源体１を用いた平面照明装置４１は、実施例２の変形である光源体群１１Ａに対して、配線ユニット４２を付加した構成としたものである。
【００４６】
前記配線ユニット４２は、例えば商用電源（ＡＣ１００Ｖ）に接続するためのプラグ２３を一端に有する電源ケーブル２５の途中に、交流−直流変換を行う交流−直流変換部と、変換した直流電圧を前記６個の正三角形状光源体１の動作に必要な電圧に変換して出力する電圧変換部とを内蔵した電力変換部２４Ｂを備えるとともに、電源ケーブル２５の他端に前記各接続コネクタ５に装着する６個の給電コネクタ２６を具備している。
【００４７】
そして、前記配線ユニット４２を用いて６個の正三角形状光源体１に所要の電圧を供給し、６個の正三角形状光源体１の各ＬＥＤ素子３を発光させるように構成している。
【００４８】
この変形例４に係る正三角形状光源体１を用いた平面照明装置４１によれば、実施例２の変形例に係る光源体群１１Ａに前記配線ユニット４２を付加した構成の基に、光源形状が平面状で、発光部分の面積が実施例３の場合に比べ６倍に増大した直付け型光源として各光源体群１１Ａの前方又は下方に各ＬＥＤ素子３からの光を照射し照明することができ、より広範囲を照明する平面照明装置３１を提供することができる。
【００４９】
前記平面照明装置３１、４１において、正三角形状光源体１の列設個数は、上述した場合に限定されるものではなく、照射領域のサイズに応じて正三角形状光源体１の個数をさらに増設する構成とすることももちろん可能である。
【実施例５】
【００５０】
次に、図８乃至図１０を参照して、本発明の実施例５に係る正三角形状光源体１を用いた立体照明装置５１について説明する。
【００５１】
本実施例５に係る正三角形状光源体１を用いた立体照明装置５１は、図８乃至図１０に示すように、一面が正三角形状の正四面体状に形成され、各面に配線孔５２ｂを有し、前記正三角形状光源体１を各々取り付け支持する熱冷却（シートシンク）機能を有する例えばアルミニウム材を用いた光源体支持体５２と、前記光源体支持体５２の各面に取り付けた各正三角形状光源体１の配線部に接続した所要の電力供給用の配線ユニット５３と、を有している。
【００５２】
前記配線ユニット５３は、図８に概念的に示すように、例えば商用電源（ＡＣ１００Ｖ）に接続するためのプラグ２３を一端に有する電源ケーブル２５の途中に、交流−直流変換を行う交流−直流変換部と、変換した直流電圧を前記６個の正三角形状光源体１の動作に必要な電圧に変換して出力する電圧変換部とを内蔵した電力変換部５４を備えるとともに、電源ケーブル２５の他端に前記各接続コネクタ５に装着する４個の給電コネクタ５５を具備している。
【００５３】
そして、前記配線ユニット５３を用いて４個の正三角形状光源体１に所要の電圧を供給し、４個の正三角形状光源体１の各ＬＥＤ素子３を発光させるように構成している。
【００５４】
また、前記立体照明装置５１は、図１０に示すように、光源体支持体５２の一つの頂部から支持管体５６を突設し、この支持管体５６の上端を例えば天井面等の取り付け面５７に取り付け、前記立体照明装置５１を吊り下げ状態で支持するように構成している。
【００５５】
前記各接続コネクタ５、前記配線ユニット５３は、実際には前記光源体支持体５２内に内装され、電源ケーブル２５のプラグ２３側を支持管体５６内を経て取り付け面５７の裏側に引き出し、前記プラグ２３を商用電源に接続するように構成している。
【００５６】
前記正三角形状光源体１は、図９に示すように、前記光源体支持体５２の一面に設けたネジ孔５２ａに対して、３個の取り付け孔７を経て３個の取り付けネジ６を各々ねじ込むことにより、この光源体支持体５２の一面に固定されるように構成している。
【００５７】
本実施例５に係る正三角形状光源体１を用いた立体照明装置５１によれば、光源部を立体である正四面体とし、取り付け面５７への取り付け態様が吊り下げ型の構成として、４個の正三角形状光源体１の各ＬＥＤ素子３から３６０度全方向への光照射が可能である立体照明装置５１を実現することができる。
【００５８】
尚、本実施例５において、光源の形状は正四面体、正二十面体に限定されるものではなく、正十二面体その他の正多面体として実施可能である。
【００５９】
図１１は、本実施例５の変形例である正三角形状光源体１を用いた立体照明装置６１を示すものであり、基本的構成は前記立体照明装置５１の場合と同様であるが、前記光源体支持体５２に替えて、一面が正三角形状で正二十面体に形成し、熱冷却（シートシンク）機能を有する光源体支持体６２を採用し、各面に正三角形状光源体１を既述した場合同様にして取り付けた構成を採用したことが特徴である。
【００６０】
また、各接続コネクタ５、既述した場合と同様な構成からなる図示しない配線ユニットは、光源体支持体６２内に内装され、電源ケーブル２５のプラグ２３側を支持管体５６内を経て取り付け面５７の裏側に引き出し、前記プラグ２３を商用電源に接続するように構成している。
【００６１】
この変形例に係る正三角形状光源体１を用いた立体照明装置６１によれば、光源部を立体である正二十面体とし、取り付け面５７への取り付け態様が吊り下げ型の構成として、２０個の正三角形状光源体１の各ＬＥＤ素子３から３６０度全方向への光照射が可能である立体照明装置６１を実現することができる。
【００６２】
前記立体照明装置５１、６１において、正三角形状光源体１の配置個数は、上述した場合に限定されるものではなく、照射領域のサイズに応じて正三角形状光源体１の個数をさらに増設した多面体構成とすることももちろん可能である。
【実施例６】
【００６３】
次に、図１２を参照して、本発明の実施例６に係る正三角形状光源体１を用いた立体照明装置７１について説明する。
【００６４】
本実施例６に係る正三角形状光源体１を用いた立体照明装置７１は、図１２に示すように、例えば、底面７２ａを除く各面が正三角形状で、五角錐状に形成した熱冷却機能を有する光源体支持体７２の前記各面に、既述した場合と同様にして前記正三角形状光源体１を各々取り付け、前記底面７２ａを例えば天井等の取り付け面７３に直付けし五角錐の頂点を下向きとしたことが特徴である。
【００６５】
本実施例６においても、前記各正三角形状光源体１の各接続コネクタ５、既述した場合と同様な構成からなる図示しない配線ユニットは光源体支持体７２内に内装され、図示しないが電源ケーブルのプラグを商用電源に接続するように構成している。
【００６６】
尚、本実施例６における光源体支持体としては、上述した場合の他、一面が正三角形状の四角錐、六角錘等の各種錐体を採用することができる。
【００６７】
本実施例６に係る正三角形状光源体１を用いた立体照明装置７１によれば、光源部を立体である五角錐とし、取り付け面７３への取り付け態様が直付け型の構成として、５個の正三角形状光源体１の各ＬＥＤ素子３から取り付け面７３の下方広範囲への光照射が可能である立体照明装置７１を実現することができる。
【００６８】
既述した実施例１乃至６において用いる正三角形状光源体１の仕様としては、例えば一辺が５０ｍｍ−５００ｍｍの範囲の正三角形状とする例を挙げることができる。
【００６９】
また、前記ＬＥＤ素子３の定格より少い９０％から８０％の駆動電流で運用し放熱量を抑えたり、前記平面基板２の一枚当たり５Ｗから５０Ｗの範囲のＬＥＤモジュールとする等の点に留意することが好ましい。
【００７０】
次に、図１３を参照して前記正三角形状光源体１の配線部の具体例について説明する。
【００７１】
例えば図６に示す平面照明装置３１の場合に、前記各正三角形状光源体１の配線部を図１３に示すように、全体として４７個のＬＥＤ素子３を、６個ずつ７段と、残りの５個とに分割し、これらを６個ずつ７段の直列回路と、５個のＬＥＤ素子３の直列回路に所要の抵抗値を有する１個の抵抗Ｒを直列接続した合計８段とし、これらを並列接続して合計４７個のＬＥＤ素子３を含む四端子回路を構成する。
【００７２】
そして、この四端子回路の一端側を陽極（＋）ライン、他端側を陰極（−）ラインとする。
【００７３】
このような各ＬＥＤ素子３の接続構成とすることにより、前記正三角形状光源体１の配線部を送電送り回路の構造とすることができ、図１３に示すように、４個の正三角形状光源体１を数珠繋ぎに接続可能とするものである。
【００７４】
そして、図１３に示すように、４個の正三角形状光源体１を数珠繋ぎに接続した陽極（＋）ライン、陰極（−）ラインに対して、プラグ２３、電源ケーブル２５、電力変換部８２からなる配線ユニット８１を使用して図示しない商用電源から給電し、各正三角形状光源体１を発光させるように構成している。
【００７５】
図１３に示すような正三角形状光源体１の配線部を採用することにより、４個の正三角形状光源体１の接続作業の簡略化、迅速化を図ることができる。
【００７６】
図７に示す平面照明装置４１、図８に示す立体照明装置５１、図１１に示す立体照明装置６１及び図１２に示す立体照明装置７１の場合も、上述したような配線部の構成を採用することによって、上述した平面照明装置３１の場合と同様、各正三角形状光源体１の接続作業の簡略化、迅速化を図ることができる。
【産業上の利用可能性】
【００７７】
本発明の立体照明装置、平面照明装置は、体育館工場等の水銀灯代替え用途、高速道路灯・街路灯・駐車場灯・工事現場灯・トンネル灯への適用、スタジアム灯・ナイター照明・投光機、サイン照明としての用途等、広範に適用可能である。
【符号の説明】
【００７８】
１    正三角形状光源体
２    平面基板
３    ＬＥＤ素子
４    給電ケーブル
５    接続コネクタ
６    取り付けネジ
７    取り付け孔
１１    光源体群
１１Ａ  光源体群
２１    平面照明装置
２２    配線ユニット
２３    プラグ
２４    電力変換部
２４Ａ  電力変換部
２４Ｂ  電力変換部
２５    電源ケーブル
２６    給電コネクタ
２７    取り付け面
３１    平面照明装置
３２    配線ユニット
４１    平面照明装置
４２    配線ユニット
５１    立体照明装置
５２    光源体支持体
５２ａ  ネジ孔
５２ｂ  配線孔
５３    配線ユニット
５４    電力変換部
５５    給電コネクタ
５６    支持管体
５７    取り付け面
６１    立体照明装置
６２    光源体支持体
７１    立体照明装置
７２    光源体支持体
７２ａ  底面
７３    取り付け面
８１  配線ユニット
８２  電力変換部
Ｒ  抵抗
【図１】
2011150808.tif 000003
【図２】
2011150808.tif 000004
【図３】
2011150808.tif 000005
【図４】
2011150808.tif 000006
【図５】
2011150808.tif 000007
【図６】
2011150808.tif 000008
【図７】
2011150808.tif 000009
【図８】
2011150808.tif 000010
【図９】
2011150808.tif 000011
【図１０】
2011150808.tif 000012
【図１１】
2011150808.tif 000013
【図１２】
2011150808.tif 000014
【図１３】
2011150808.tif 000015